(57)【要約】【課題】回転工具によるねじ締め作業を円滑化する。【解決手段】スピンドル（２）に着脱自在に取り付けたビット（４）を覆うようにハウジング（１）の先端部（７）にストッパ筒（６）を設け、ストッパ筒（６）とビット（４）との相対位置を変えることによりねじ込み深さを調整するようにした回転工具のねじ込み深さ調整装置において、筒状の磁気吸引体（１５）をビット（４）とストッパ筒（６）との隙間に挿入しビット（４）と共回り可能に保持する。【選択図】      図１
2004202614.tif 000002
【特許請求の範囲】
【請求項１】
スピンドルに着脱自在に取り付けたビットを覆うようにハウジングの先端部にストッパ筒を設け、ストッパ筒とビットとの相対位置を変えることによりねじ込み深さを調整するようにした回転工具のねじ込み深さ調整装置において、筒状の磁気吸引体をビットとストッパ筒との隙間に挿入しビットと共回り可能に保持したことを特徴とする回転工具のねじ込み深さ調整装置。
【請求項２】
請求項１に記載の回転工具のねじ込み深さ調整装置において、磁気吸引体のビット軸方向への移動を抑制する抑制手段を備えたことを特徴とする回転工具のねじ込み深さ調整装置。
【請求項３】
請求項１又は請求項２に記載の回転工具のねじ込み深さ調整装置において、ストッパ筒を設けるハウジングの先端部をワンタッチ着脱手段によりハウジングに着脱自在に取り付けたことを特徴とする回転工具のねじ込み深さ調整装置。
【請求項４】
請求項１乃至請求項３のいずれかに記載の回転工具のねじ込み深さ調整装置において、ストッパ筒がハウジングの先端部に対しビット軸方向に螺進退可能に取り付けられ、ストッパ筒とハウジング先端部との重複部分にクリックストップ機構が設けられたことを特徴とする回転工具のねじ込み深さ調整装置。
【発明の詳細な説明】
【０００１】
【発明の属する技術分野】
本発明は、回転工具のねじ込み深さ調整装置に関する。
【０００２】
【従来の技術】
ハウジング上で回転するスピンドルの先端にビットを取り付け、スピンドルを回転させてビットでネジを所望部材にネジ込むようにした回転工具には、ねじ込み量が過大にならないようにスピンドルの回りにストッパ筒が被せてある。ビットの回転によりネジが所望の深さにねじ込まれると、ストッパ筒の先端が所望部材の表面に当たってビットの進行を阻止し、これによりネジの螺入が停止する。
【０００３】
このようにネジのねじ込み量はストッパ筒により一定に規制されるが、ねじ込み量はビットやネジの種類等に応じて調整する必要があり、このため回転工具にはねじ込み深さ調整装置が設けられる。例えば、特許文献１，２に記載されるねじ込み深さ調整装置は、ストッパ筒をハウジングの先端部に螺合せしめ、ストッパ筒をハウジングの先端部上で螺進退させてビットとの相対位置を変えることによりねじ込み深さを調整するようになっている。また、特許文献３に記載されるねじ込み深さ調整装置は、スピンドルのビットを挿入する空洞内に調整ネジを螺入しておき、この調整ネジを螺進退させることでビットのスピンドルに対する位置を調整し、これによりストッパ筒とビットの位置関係を調整するようになっている。
【０００４】
【特許文献１】実公平６−１３２９号公報
【特許文献２】実用新案登録第２５２３２４７号公報
【特許文献３】特開昭５８−１６００６２号公報
【０００５】
【発明が解決しようとする課題】
特許文献１，２に記載のねじ込み深さ調整装置によれば、ビットがストッパ筒内に入り込んだ場合等においてビットの先をネジ頭に係止し難くなり、ねじ締め作業の効率が低下しやすい。また、ストッパ筒がハウジングの先端部にスピンドル軸方向に螺進退可能に取り付けられるので、両者間の相対回転を規制するためのクリックストップ機構が設けられるが、このクリックストップ機構がハウジング外に突起物として突出するという問題がある。
【０００６】
また、特許文献３に記載のねじ込み深さ調整装置はスピンドルの空洞内の調整ネジを回すことによりねじ込み深さを加減するようになっているので、ねじ込み深さの調整が面倒であるという問題がある。また、ねじ込み中は磁石でネジの頭部を吸着保持するようになっているが、この磁石は回転するネジに対して固定状態に保持されるので、ネジの円滑な回転が阻害されるという問題がある。
【０００７】
本発明はこのような諸問題点を解決することを目的とする。
【０００８】
【課題を解決するための手段】
上記課題を解決するため、請求項１に係る発明は、スピンドル（２）に着脱自在に取り付けたビット（４）を覆うようにハウジング（１）の先端部（７）にストッパ筒（６）を設け、ストッパ筒（６）とビット（４）との相対位置を変えることによりねじ込み深さを調整するようにした回転工具のねじ込み深さ調整装置において、筒状の磁気吸引体（１５）をビット（４）とストッパ筒（６）との隙間に挿入しビット（４）と共回り可能に保持した回転工具のねじ込み深さ調整装置を採用する。
【０００９】
また、請求項２に係る発明は、請求項１に記載の回転工具のねじ込み深さ調整装置において、磁気吸引体（１５）のビット軸方向への移動を抑制する抑制手段（１６，２０）を備えた回転工具のねじ込み深さ調整装置を採用する。
【００１０】
また、請求項３に係る発明は、請求項１又は請求項２に記載の回転工具のねじ込み深さ調整装置において、ストッパ筒（６）を設けるハウジング（１）の先端部（７）をワンタッチ着脱手段（１２）によりハウジング（１）に着脱自在に取り付けた回転工具のねじ込み深さ調整装置を採用する。
【００１１】
また、請求項４に係る発明は、請求項１乃至請求項３のいずれかに記載の回転工具のねじ込み深さ調整装置において、ストッパ筒（６）がハウジング（１）の先端部（７）に対しビット軸方向に螺進退可能に取り付けられ、ストッパ筒（６）とハウジング先端部（７）との重複部分にクリックストップ機構（３０ａ，３１）が設けられた回転工具のねじ込み深さ調整装置を採用する。
【００１２】
【発明の実施の形態】
次に、本発明の実施の形態について図面を参照して説明する。
【００１３】
＜実施の形態１＞
図１及び図２に示すように、この回転工具のハウジング１からスピンドル２が突出する。スピンドル２の先端にはスピンドル軸方向に図示しない穴が設けられ、この穴内にネジ３を回すためのビット４が着脱可能に挿入されている。
【００１４】
ハウジング１の内部にはスピンドル２を回転させるためのモータ、伝動装置等が収納されるが、これらは公知の構造であるから図示及び詳細な説明を省略する。モータの起動によりスピンドル２及びビット４が回転すると、図１（Ａ）のごとくネジ頭の溝にビット４の先端が嵌り込んだネジ３が回転し、同図（Ｂ）のごとくネジ３が所望部材５にねじ込まれる。
【００１５】
この回転工具には、ネジ３のねじ込み量を一定に規制するためストッパ筒６がハウジング１の先端部である固定スリーブ７に取り付けられる。この実施の形態ではハウジング１の先端部である固定スリーブ７がハウジング１と別体として形成されるが、この固定スリーブ７の部分をハウジング１の成形当初よりハウジング本体と一体化することも可能である。ストッパ筒６の前部はスピンドル２上のビット４を隙間を介して取り囲み、その先端にはスピンドル２及びビット４の軸に垂直なストッパ面６ａが形成される。上述したようにビット４の回転によりネジ３が所望部材５にねじ込まれると、ストッパ筒６の先端のストッパ面６ａが所望部材５の表面５ａに当接してビット４の進行を阻止し、ネジ３の過度な螺入を防止する。
【００１６】
また、この回転工具には、ビットやネジの種類等に応じてねじ込み量を加減するためにねじ込み深さ調整装置が設けられる。
この実施の形態におけるねじ込み深さ調整装置は、ハウジング１の先端部である固定スリーブ７からストッパ筒６にかけて設けられ、スピンドル２に着脱自在に取り付けたビット４を覆うように固定スリーブ７にストッパ筒６を設け、ストッパ筒６のビット４に対する位置を変えることによりねじ込み深さを調整するようになっている。
【００１７】
図１及び図２に示すように、ハウジングの先端部である固定スリーブ７は略円筒形に形成され、この円筒形の固定スリーブ７がハウジング１に固定された状態でスピンドル２を取り囲む。
【００１８】
この固定スリーブ７はワンタッチ着脱手段によりハウジング１に対して着脱自在に取り付けられる。
【００１９】
ワンタッチ着脱手段は、図２に示すようにクランプ装置であり、固定スリーブ７にスピンドル２の軸方向に平行に形成された割り溝８と、固定スリーブ７に割り溝８を横切るように通されるネジ棒９と、ネジ棒９の一端に螺合するナット１０と、ネジ棒９の他端にピン１１で連結される締付けレバー１２とを備える。
【００２０】
締付けレバー１２の固定スリーブ７に対向する箇所にはカム片１２ａが設けられ、締付けレバー１２を図２中実線で示すクランプ位置に回すとカム片１２ａが固定スリーブ７に接触しナット１０と共に締付けスリーブ７を縮径方向に締め付ける。これにより、図１に示すように、固定スリーブ７はハウジング１にワンタッチで固定される。締付けレバー１２の締付け力はナット１０をネジ棒９上で螺進退させることにより調整可能である。締付けレバー１２は締め付け時にハウジング１や固定スリーブ７の外面から突出しないように、図２に示すごとく固定スリーブ７の外壁面に沿って湾曲形成される。固定スリーブ７をハウジング１から取り外す場合は、締付けレバー１２を図２中ピン１１の回りを時計方向に回せばよく、固定スリーブ７はカム片１２ａによる押圧状態から解放され、固定スリーブ７の弾性により拡径してハウジング１から取り外し可能になる。
【００２１】
ストッパ筒６は、図１に示すようにハウジングの先端部である固定スリーブ７に対して移動可能に取り付けられる。具体的には、ストッパ筒６の後部の内面に雌ネジ１３が形成され、この雌ネジ１３が固定スリーブ７の外面に形成された雄ネジ１４に螺合する。ストッパ筒６の前部はスピンドル２上のビット４を隙間を介して取り囲んでいる。ストッパ筒６を雌雄ネジ１３，１４により固定スリーブ７上で螺進退させることにより、ビットやネジの種類等に応じてねじ込み量が加減される。
【００２２】
この回転工具のねじ込み深さ調整装置においては、図１に示すように、筒状の磁気吸引体１５がビット４とストッパ筒６との間の隙間内に挿入される。
【００２３】
磁気吸引体１５は、磁性体等で形成された円筒体の先端にマグネット１５ａを環状に配置してなるもので、ネジ３を吸着してネジ頭の溝内にビット４の先端を侵入させる作用をなす。これにより、ビット４がストッパ筒６内に隠れた状態にあってもネジ３をビット４の先に簡易に取り付けることができる。
【００２４】
また、この磁気吸引体１５はストッパ筒６に転動自在に支持される。具体的にはスチール等でできた複数個のボール１６がストッパ筒６と磁気吸引体１５との間に介装される。これにより、磁気吸引体１５とネジ３とビット４の三者が一体で回転することとなり、ねじ締め作業が円滑に行われる。
【００２５】
また、磁気吸引体１５は、抑制手段によりスピンドル２及びビット４の軸方向への移動を抑制され、その先端がビット４の先端から一定の位置を保つように保持される。具体例としては、ビット４の先端から後方に向かって磁気吸引体１５の外面から突出する外向き環状突起１７、ストッパ筒６の内面から突出する内向き環状突起１８、ストッパ筒６に被せられるワッシャ１９、ストッパ筒６の外面に嵌め込まれる固定リング２０が順に配置され、両環状突起１７，１８間にボール１６が挟み込まれる。これにより、磁気吸引体１５はストッパ筒６内の定位置に保持され、ストッパ筒６外への脱落が防止されると共にネジ３を吸着しやすい位置に保持される。
【００２６】
上述したようにストッパ筒６がハウジングの先端部である固定スリーブ７に対しビット軸方向に螺進退可能に取り付けられたことから、ストッパ筒６が位置調整後にみだりに移動しないように、ストッパ筒６と固定スリーブ７との間にクリックストップ機構が設けられる。
【００２７】
このクリックストップ機構は、固定スリーブ７に被せられるリング２１と、リング２１をストッパ筒６の方に付勢するバネ２２と、リング２１とストッパ筒６の対向面上に環状に配置される噛合い歯２３ａ，２３ｂとを備える。ストッパ筒６を固定スリーブ７上で螺進退させると、噛合い歯２３ａ，２３ｂがクリック係止し、ストッパ筒６が固定スリーブ７上の所望の停止位置に固定される。これにより、ストッパ筒６は調整済み位置にみだりに移動しないよう保持される。
【００２８】
次に、上記構成のねじ込み深さ調整装置の作用について説明する。
【００２９】
固定スリーブ７をハウジング１に被せ、クランプ装置の締付けレバー１２を回動操作して固定スリーブ７をハウジング１にワンタッチで固定する。これにより、ねじ込み深さ調整装置が回転工具に装着される。
【００３０】
続いてストッパ筒６を固定スリーブ７に対して所望の向きに回して螺進退させる。これにより、ストッパ筒６がビット４に対して位置を変え、ビットやネジの種類等に応じてねじ込み量が加減される。
【００３１】
ストッパ筒６の螺進退によるねじ込み量の調整後は、クリックストップ機構の作用によりストッパ筒６の回転が防止される。
【００３２】
ねじ込み作業に際し、ネジ３をビット４の先に供給すると、磁気吸引体１５を介してネジ頭がビット４の先端に吸引され、ネジ頭の溝にビット４の先端が入り込む。
【００３３】
そこで、モータの起動によりスピンドル２を回転させると、ビット４がネジ３を所望部材５にねじ込む。ねじ込みの途中では磁気吸引体１５がボール１６を介し固定スリーブ７上で自在に転動するので、磁気吸引体１５とネジ３とビット４の三者が一体で回転し、ネジ３は所望部材５に対し円滑にねじ込まれる。
【００３４】
ネジ３が所望部材５の中へと侵入し、ストッパ筒６の先端のストップ面６ａが所望部材５の表面５ａに接触するとビット４が前進を停止し、ネジ３は所望部材５へのそれ以上の侵入を停止する。
【００３５】
＜実施の形態２＞
図３に示すように、この実施の形態２における回転工具のねじ込み深さ調整装置では、実施の形態１の場合と異なり磁気吸引体１５がハウジングの先端部である固定スリーブ７にボールベアリング２４を介して転動自在に支持される。
【００３６】
その他、この実施の形態２において実施の形態１のねじ込み深さ調整装置と同一部分については同一符号を用いて示すこととし、重複した説明を省略する。
【００３７】
＜実施の形態３＞
図４に示すように、この実施の形態２における回転工具のねじ込み深さ調整装置では、実施の形態１，２の場合と異なり磁気吸引体１５がビット４に支持されるようになっている。
【００３８】
すなわち、磁気吸引体１５に穴２５が環状に並ぶように穿設され各穴２５にボール２６が挿入され、ボール２６がビット４に形成された環状溝２７に嵌り込んでいる。また、磁気吸引体１５の回りには弾性リング２８が被せられ、この弾性リング２８がボール２６をビット４の環状溝２７へと付勢している。これにより、ねじ込み作業中、磁気吸引体１５はネジ３を吸引しつつビット４と共回りする。
【００３９】
また、図４及び図５に示すように、この実施の形態２における回転工具のねじ込み深さ調整装置では、実施の形態１，２の場合と異なる構造のクリックストップ機構がストッパ筒６とハウジング先端部である固定スリーブ７との重複部分に設けられる。
【００４０】
すなわち、ハウジング先端部である固定スリーブ７の周壁に一つ又は複数個の穴２９が穿設され、この穴２９から弾性片３０ａがストッパ筒６の内周面に形成された多数の係合溝３１に向かって突出する。弾性片３０ａは固定スリーブ７の内周面に嵌め込まれた環状の板バネ３０が部分的に凸状に折り曲げられることにより形成され、固定スリーブ７の穴２９に対応して設けられる。係合溝３１はスピンドル２の軸方向に平行に伸びるように形成される。このように弾性片３０ａと係合溝３１がストッパ筒６と固定スリーブ７との重複部分に隠れ、ストッパ筒６及び固定スリーブ７の外面に露出しないので、回転工具の周囲が簡素化され、操作性が向上する。
【００４１】
上記構成のねじ込み深さ調整装置でねじ込み深さを調整するに際し、ストッパ筒６を把持して固定スリーブ７上で螺進退させると、弾性片３０ａが係合溝３０に対してクリック動作する。所望の調整位置においてストッパ筒６を停止させると、弾性片３０ａが係合溝３１に嵌り込み、ストッパ筒６を回らないように保持する。
【００４２】
その他、この実施の形態３において実施の形態１のねじ込み深さ調整装置と同一部分については同一符号を用いて示すこととし、重複した説明を省略する。
【００４３】
なお、上記各実施の形態では磁気吸引体１５をストッパ筒６で転動自在に支持する手段としてボールによる転がり軸受を用いたが、ローラによる転がり軸受を用いることもでき、また滑り軸受を用いることも可能である。
【００４４】
【発明の効果】
請求項１に係る発明によれば、スピンドルに着脱自在に取り付けたビットを覆うようにハウジングの先端部にストッパ筒を設け、ストッパ筒とビットとの相対位置を変えることによりねじ込み深さを調整するようにした回転工具のねじ込み深さ調整装置において、筒状の磁気吸引体をビットとストッパ筒との隙間に挿入しビットと共回り可能に保持したことから、磁気吸引体の磁気によりビットでネジを吸着しつつネジを回すことができ、ねじ締め作業を効率的に行うことができる。また、ネジを吸着した磁気吸引体がビットと共に回転するので、小さなネジであってもねじ締めが円滑化される。
【００４５】
請求項２に係る発明によれば、請求項１に記載の回転工具のねじ込み深さ調整装置において、磁気吸引体のビット軸方向への移動を抑制する抑制手段を備えたことから、磁気吸引体の延出部外への脱落が防止され、また、磁気吸引体の先端とビットの先端との位置ズレを防止しビットの先端でネジを適正に保持することができる。
【００４６】
請求項３に係る発明によれば、請求項１又は請求項２に記載の回転工具のねじ込み深さ調整装置において、ストッパ筒を設けるハウジングの先端部をワンタッチ着脱手段によりハウジングに着脱自在に取り付けたことから、ねじ込み深さ調整装置を必要に応じて回転工具に簡易かつ迅速に取り付けることができ、既存の回転工具に対しても簡易に装着可能である。
【００４７】
請求項４に係る発明によれば、請求項１乃至請求項３のいずれかに記載の回転工具のねじ込み深さ調整装置において、ストッパ筒がハウジングの先端部に対しビット軸方向に螺進退可能に取り付けられ、ストッパ筒とハウジング先端部との重複部分にクリックストップ機構が設けられたことから、ストッパ筒及びハウジング先端部の外面へのクリックストップ機構の突出が回避され、ハウジング回りが簡素化される。
【図面の簡単な説明】
【図１】本発明の実施の形態１に係る回転工具の要部の縦断面図であり、（Ａ）はねじ込み前、（Ｂ）はねじ込み後を夫々示す。
【図２】図１中、ＩＩ−ＩＩ線矢視断面図である。
【図３】本発明の実施の形態２に係る回転工具の縦断面図である。
【図４】本発明の実施の形態３に係る回転工具の縦断面図である。
【図５】図４中、Ｖ−Ｖ線矢視断面図である。
【符号の説明】
１…ハウジング
２…スピンドル
４…ビット
６…ストッパ筒
７…固定スリーブ
１２…締付けレバー
１５…磁気吸引体
１６…ボール
２０…固定リング
３０ａ…弾性片
３１…係合溝
【図１】
2004202614.tif 000003
【図２】
2004202614.tif 000004
【図３】
2004202614.tif 000005
【図４】
2004202614.tif 000006
【図５】
2004202614.tif 000007